(57)【要約】【課題】画像形成システムとしての濃度階調特性や色出力特性を適切な状態に保つ。【解決手段】画像処理装置１０１は、システムキャリブレーションの指示を受け付けた場合に、禁止コマンドを画像形成装置１００へ送信すると共に、動作モードを禁止モードにする。そして、画像処理装置１０１は、第２キャリブレーションが完了するかまたは、画像形成装置１００から第１キャリブレーションの実行の結果を受信した場合に、解除コマンドを画像形成装置１００へ送信すると共に、禁止モードを解除する。画像処理装置１０１は、禁止モードの間は、非キャリブレーションジョブの実行が指示されても、当該非キャリブレーションジョブを画像形成装置１００へ投入しない。【選択図】図１２
2018106614.tif 000002
【特許請求の範囲】
【請求項１】
第１キャリブレーションを実行する画像形成装置と接続され、第２キャリブレーションを実行する画像処理装置であって、
前記第１キャリブレーション及び前記第２キャリブレーションを連続して実行すべき指示を受け付けた場合に、キャリブレーションに必要とされる印刷ジョブ以外の印刷ジョブである非キャリブレーションジョブの実行が指示されても当該非キャリブレーションジョブに基づく少なくとも印刷動作を禁止すべき旨の禁止コマンドを、前記画像形成装置へ送信する第１の送信手段と、
前記第１キャリブレーション及び前記第２キャリブレーションを連続して実行すべき指示を受け付けたことに応じて動作モードを禁止モードにする第１の制御手段と、
前記禁止コマンドによる印刷動作の禁止を解除するための解除コマンドを前記画像形成装置へ送信する第２の送信手段と、を有し、
前記第１の制御手段は、前記禁止モードの間は、前記非キャリブレーションジョブの実行が前記画像処理装置に指示されても、当該非キャリブレーションジョブを前記画像処理装置へ投入しないことを特徴とする画像処理装置。
【請求項２】
前記第１の制御手段は、前記禁止モードの間に前記非キャリブレーションジョブの実行が前記画像処理装置に指示された場合は、当該非キャリブレーションジョブを保留し、前記禁止モードが解除されてから、前記保留したキャリブレーションジョブを前記画像処理装置へ投入することを特徴とする請求項１に記載の画像処理装置。
【請求項３】
前記第１の制御手段は、前記禁止モードの間に前記非キャリブレーションジョブの実行が前記画像処理装置に指示された場合は、前記非キャリブレーションジョブを受け付けないことを特徴とする請求項１に記載の画像処理装置。
【請求項４】
前記禁止モードの間の前記非キャリブレーションジョブの受付可否を設定する第１の設定手段を有し、
前記第１の制御手段は、前記禁止モードの間に、前記第１の設定手段により受け付けが可能に設定されている状態で前記非キャリブレーションジョブの実行が前記画像処理装置に指示された場合は、当該非キャリブレーションジョブを保留し、前記禁止モードが解除されてから、前記保留したキャリブレーションジョブを前記画像処理装置へ投入し、前記禁止モードの間に、前記第１の設定手段により受け付けが不可に設定されている状態で前記非キャリブレーションジョブの実行が前記画像処理装置に指示された場合は、当該非キャリブレーションジョブを受け付けないことを特徴とする請求項１に記載の画像処理装置。
【請求項５】
前記第１の制御手段は、前記非キャリブレーションジョブを保留する場合は、その旨を報知することを特徴とする請求項２または４に記載の画像処理装置。
【請求項６】
前記第１の制御手段は、前記非キャリブレーションジョブを受け付けない場合は、その旨を報知することを特徴とする請求項３または４に記載の画像処理装置。
【請求項７】
前記第１の制御手段は、前記非キャリブレーションジョブの実行の指示元が外部装置である場合は、前記非キャリブレーションジョブを保留した旨を前記外部装置へ通知することを特徴とする請求項５に記載の画像処理装置。
【請求項８】
前記第１の制御手段は、前記非キャリブレーションジョブの実行の指示元が外部装置である場合は、前記非キャリブレーションジョブを受け付けない旨を前記外部装置へ通知することを特徴とする請求項６に記載の画像処理装置。
【請求項９】
前記第２キャリブレーションが完了するかまたは、前記画像形成装置から前記第１キャリブレーションの実行の結果を受信した場合に、前記第２の送信手段が前記解除コマンドを前記画像形成装置へ送信すると共に、前記第１の制御手段が前記禁止モードを解除することを特徴とする請求項１〜８のいずれか１項に記載の画像処理装置。
【請求項１０】
第１キャリブレーションを実行すると共に、第２キャリブレーションを実行する画像処理装置と接続される画像形成装置であって、
キャリブレーションに必要とされる印刷ジョブ以外の印刷ジョブである非キャリブレーションジョブの実行が指示されても、当該非キャリブレーションジョブに基づく少なくとも印刷動作を禁止すべき旨の禁止コマンドを、前記画像処理装置から受信する第１の受信手段と、
前記第１の受信手段により前記禁止コマンドが受信されたことに応じて、動作モードを禁止モードにする第２の制御手段と、
前記禁止コマンドによる印刷動作の禁止を解除するための解除コマンドを前記画像処理装置から受信する第２の受信手段と、を有し、
前記第２の制御手段は、前記禁止モードの間は、前記非キャリブレーションジョブの実行が前記画像形成装置に指示されても、当該非キャリブレーションジョブに基づく少なくとも印刷動作を実行しないことを特徴とする画像形成装置。
【請求項１１】
前記第２の制御手段は、前記禁止モードの間に前記非キャリブレーションジョブの実行が前記画像形成装置に指示された場合は、当該非キャリブレーションジョブを保留し、前記禁止モードが解除されてから、前記保留したキャリブレーションジョブを実行することを特徴とする請求項１０に記載の画像形成装置。
【請求項１２】
前記第２の制御手段は、前記禁止モードの間に前記非キャリブレーションジョブの実行が前記画像形成装置に指示された場合は、前記非キャリブレーションジョブを受け付けないことを特徴とする請求項１０に記載の画像形成装置。
【請求項１３】
前記禁止モードの間の前記非キャリブレーションジョブの受付可否を設定する第２の設定手段を有し、
前記第２の制御手段は、前記禁止モードの間に、前記第２の設定手段により受け付けが可能に設定されている状態で前記非キャリブレーションジョブの実行が前記画像形成装置に指示された場合は、当該非キャリブレーションジョブを保留し、前記禁止モードが解除されてから、前記保留したキャリブレーションジョブを実行し、前記禁止モードの間に、前記第２の設定手段により受け付けが不可に設定されている状態で前記非キャリブレーションジョブの実行が前記画像形成装置に指示された場合は、当該非キャリブレーションジョブを受け付けないことを特徴とする請求項１０に記載の画像形成装置。
【請求項１４】
前記第２の制御手段は、前記非キャリブレーションジョブを保留する場合は、その旨を報知することを特徴とする請求項１１または１３に記載の画像形成装置。
【請求項１５】
前記第２の制御手段は、前記非キャリブレーションジョブを受け付けない場合は、その旨を報知することを特徴とする請求項１２または１３に記載の画像形成装置。
【請求項１６】
前記第２の制御手段は、前記非キャリブレーションジョブの実行の指示元が外部装置である場合は、前記非キャリブレーションジョブを保留した旨を前記外部装置へ通知することを特徴とする請求項１４に記載の画像形成装置。
【請求項１７】
前記第２の制御手段は、前記非キャリブレーションジョブの実行の指示元が外部装置である場合は、前記非キャリブレーションジョブを受け付けない旨を前記外部装置へ通知することを特徴とする請求項１５に記載の画像形成装置。
【請求項１８】
前記第２の受信手段により前記解除コマンドが前記画像処理装置から受信された場合に、前記第２の制御手段が前記禁止モードを解除することを特徴とする請求項１０〜１７のいずれか１項に記載の画像形成装置。
【請求項１９】
請求項１〜９のいずれか１項に記載の画像処理装置と請求項１０〜１８のいずれか１項に記載の画像形成装置とが通信可能に接続されて成ることを特徴とする画像形成システム。
【請求項２０】
請求項４〜８のいずれか１項に記載の画像処理装置と請求項１３〜１７のいずれか１項に記載の画像形成装置とが通信可能に接続されて成る画像形成システムであって、
前記画像処理装置の前記第１の制御手段は、前記第１の設定手段による設定内容を前記画像形成装置へ通知し、
前記画像形成装置の前記第２の制御手段は、前記第２の設定手段による設定内容を前記画像処理装置へ通知することを特徴とする画像形成システム。
【請求項２１】
第１キャリブレーションを実行する画像形成装置と接続され、第２キャリブレーションを実行する画像処理装置の制御方法であって、
前記第１キャリブレーション及び前記第２キャリブレーションを連続して実行すべき指示を受け付けた場合に、キャリブレーションに必要とされる印刷ジョブ以外の印刷ジョブである非キャリブレーションジョブの実行が指示されても当該非キャリブレーションジョブに基づく少なくとも印刷動作を禁止すべき旨の禁止コマンドを、前記画像形成装置へ送信する第１の送信ステップと、
前記第１キャリブレーション及び前記第２キャリブレーションを連続して実行すべき指示を受け付けたことに応じて動作モードを禁止モードにする第１の制御ステップと、
前記禁止コマンドによる印刷動作の禁止を解除するための解除コマンドを前記画像形成装置へ送信する第２の送信ステップと、を有し、
前記第１の制御ステップは、前記禁止モードの間は、前記非キャリブレーションジョブの実行が前記画像処理装置に指示されても、当該非キャリブレーションジョブを前記画像処理装置へ投入しないことを特徴とする画像処理装置の制御方法。
【請求項２２】
第１キャリブレーションを実行すると共に、第２キャリブレーションを実行する画像処理装置と接続される画像形成装置の制御方法であって、
キャリブレーションに必要とされる印刷ジョブ以外の印刷ジョブである非キャリブレーションジョブの実行が指示されても、当該非キャリブレーションジョブに基づく少なくとも印刷動作を禁止すべき旨の禁止コマンドを、前記画像処理装置から受信する第１の受信ステップと、
前記第１の受信ステップにより前記禁止コマンドが受信されたことに応じて、動作モードを禁止モードにする第２の制御ステップと、
前記禁止コマンドによる印刷動作の禁止を解除するための解除コマンドを前記画像処理装置から受信する第２の受信ステップと、を有し、
前記第２の制御ステップは、前記禁止モードの間は、前記非キャリブレーションジョブの実行が前記画像形成装置に指示されても、当該非キャリブレーションジョブに基づく少なくとも印刷動作を実行しないことを特徴とする画像形成装置の制御方法。
【請求項２３】
第１キャリブレーションを実行する画像形成装置と第２キャリブレーションを実行する画像処理装置とが通信可能に接続されて成る画像形成システムの制御方法であって、
前記画像処理装置が実行するステップとして、
前記第１キャリブレーション及び前記第２キャリブレーションを連続して実行すべき指示を受け付けた場合に、キャリブレーションに必要とされる印刷ジョブ以外の印刷ジョブである非キャリブレーションジョブの実行が指示されても当該非キャリブレーションジョブに基づく少なくとも印刷動作を禁止すべき旨の禁止コマンドを、前記画像形成装置へ送信する第１の送信ステップと、
前記第１キャリブレーション及び前記第２キャリブレーションを連続して実行すべき指示を受け付けたことに応じて動作モードを禁止モードにする第１の制御ステップと、
前記禁止コマンドによる印刷動作の禁止を解除するための解除コマンドを前記画像形成装置へ送信する第２の送信ステップと、を有し、
前記第１の制御ステップは、前記禁止モードの間は、前記非キャリブレーションジョブの実行が前記画像処理装置に指示されても、当該非キャリブレーションジョブを前記画像処理装置へ投入せず、
前記画像形成装置が実行するステップとして、
前記禁止コマンドを、前記画像処理装置から受信する第１の受信ステップと、
前記第１の受信ステップにより前記禁止コマンドが受信されたことに応じて、動作モードを禁止モードにする第２の制御ステップと、
前記解除コマンドを前記画像処理装置から受信する第２の受信ステップと、を有し、
前記第２の制御ステップは、前記禁止モードの間は、前記非キャリブレーションジョブの実行が前記画像形成装置に指示されても、当該非キャリブレーションジョブに基づく少なくとも印刷動作を実行しないことを特徴とする画像形成システムの制御方法。
【請求項２４】
請求項２１に記載の画像処理装置の制御方法をコンピュータに実行させることを特徴とするプログラム。
【請求項２５】
請求項２２に記載の画像形成装置の制御方法をコンピュータに実行させることを特徴とするプログラム。
【請求項２６】
請求項２３に記載の画像形成システムの制御方法をコンピュータに実行させることを特徴とするプログラム。
【発明の詳細な説明】
【技術分野】
【０００１】
本発明は、画像処理装置と画像形成装置とでキャリブレーションを実施するための技術に関する。
【背景技術】
【０００２】
近年、商業印刷向けの電子写真方式の画像形成装置は、付加価値向上を目的とした画像処理装置と接続されて印刷システム（画像形成システム）を成す形態が一般的である。このシステムでの出力画質の安定化を目的として、画像形成装置と画像処理装置の各々が調整機能（キャリブレーション機能）を有する。キャリブレーション機能とは、出力される印刷物において画像を形成するトナーあるいはインク成分が予め定めされた最適な出力となるように印刷データの補正を行う機能である。一般的には、トナーあるいはインク成分毎に入力信号値に対する最適な出力となる出力信号値に変換するルックアップデーブル（ＬＵＴ）を持ち、印刷データ処理実行時にＬＵＴによる補正を実施することでキャリブレーション機能が実現される。各装置は、ＬＵＴを作成するためにターゲットとなる情報を保有している。
【０００３】
各装置が担う役割に応じて、最適な出力の目的や条件は様々である。画像形成装置のキャリブレーション機能は、例えば、付加電圧やレーザパワーといった画像形成条件を最適化することを目的とする。一方、画像処理装置のキャリブレーション機能は、印刷用紙などの条件に応じた最適な画像処理パラメータを生成することを目的とする。各装置における印刷ジョブ処理時に各々のキャリブレーション機能による補正処理が必要であり、各々が独立したキャリブレーション機能を有している。
【０００４】
システム全体の出力画質を安定化させるためには、画像形成装置、画像処理装置の双方のキャリブレーション機能が適切に実行されなくてはならない。さらに、成果物が商品となる商業印刷分野において安定した画質は重要であるため、これらのキャリブレーション機能は高頻度で実施されることが多い。
【０００５】
通常、各々のキャリブレーション機能においては、画像形成条件あるいは印刷用紙などの条件に応じて複数のターゲット情報が保持され、例えば画像形成条件や用紙情報などと紐づけてキャリブレーション設定情報として管理されている。印刷するジョブ毎に、適切なキャリブレーション設定情報は異なる。印刷システムを利用するオペレータは、これから印刷するジョブの種類に応じて双方の装置のキャリブレーション機能を個別に実施していた。オペレータによる印刷システム全体の調整作業の人的ミスを軽減するため、従来、いくつかの方法が提案されている。例えば特許文献１は、画像形成装置がキャリブレーションを実施した後、その結果を解析して画像処理装置のキャリブレーションが必要か否かを判断する。その判断結果に応じて、画像処理装置は、画像処理装置のキャリブレーションを実行すべきである旨をオペレータに通知し作業を促す。
【０００６】
また、一般的に、画像形成装置は、一定枚数を印刷したり、トナー使用量が一定値を超えたりする事を条件として、用紙を使用しない調整を実施して、画質をキャリブレーション後の状態に近付ける安定化制御を実施する。これにより印刷画質を理想状態に近い状態に長く保つことができる。
【先行技術文献】
【特許文献】
【０００７】
【特許文献１】特開２０１４−１１３８１０号公報
【発明の概要】
【発明が解決しようとする課題】
【０００８】
しかしながら、特許文献１は、従来の印刷システムの構成に則り双方の装置の画像調整機能が独立して実行される環境を前提に提案されている。そのため、双方の装置のキャリブレーションを実行するオペレータの作業量は以前と変わらず、提示されたキャリブレーションが実際に実行されるか否かはオペレータの判断に委ねられている部分がある。オペレータによる印刷システム全体の調整作業の負荷、およびオペレータが判断する以上人的ミスの発生の可能性は残されている。
【０００９】
また、特許文献１では、双方の装置でのキャリブレーションの間に、キャリブレーション機能に関係無い印刷を禁止していない。そのため、画像形成装置のキャリブレーションを行った後、画像処理装置のキャリブレーションを行うまでの間に、キャリブレーションに関係無い印刷が実行できてしまう。ここでキャリブレーションに関係に無い印刷とは、キャリブレーションで使用するチャート以外の印刷で、例えば、画像形成装置におけるコピー等による印刷動作を指す。キャリブレーション実施後の画像形成装置において、このようなキャリブレーションに関係の無い印刷を重ねると、トナーやインクの経年劣化等によって、付加電圧に対するトナーやインクの量が変化する。この状態で画像処理装置のキャリブレーションを行うと、付加電圧に対するトナーやインクの量が変化してしまった状態の画像形成装置をベースにしたキャリブレーションが行われてしまう。上述したように、画像形成装置は一定の条件を満たすと画質をキャリブレーション後の状態に近付ける安定化制御を実施する。すると、画像処理装置のキャリブレーション後の状態に対して、画像形成装置の状態が変化してしまうため、印刷システムとしての濃度階調特性、色出力特性が期待値から外れてしまう。このように、画像形成装置と画像処理装置とでの画像調整の間にキャリブレーションに関係無い印刷が行われると、濃度階調特性や色出力特性を適切な状態に保てないおそれがあるという問題があった。
【００１０】
本発明は、画像形成システムとしての濃度階調特性や色出力特性を適切な状態に保つことを目的とする。
【課題を解決するための手段】
【００１１】
上記目的を達成するために本発明は、第１キャリブレーションを実行する画像形成装置と接続され、第２キャリブレーションを実行する画像処理装置であって、前記第１キャリブレーション及び前記第２キャリブレーションを連続して実行すべき指示を受け付けた場合に、キャリブレーションに必要とされる印刷ジョブ以外の印刷ジョブである非キャリブレーションジョブの実行が指示されても当該非キャリブレーションジョブに基づく少なくとも印刷動作を禁止すべき旨の禁止コマンドを、前記画像形成装置へ送信する第１の送信手段と、前記第１キャリブレーション及び前記第２キャリブレーションを連続して実行すべき指示を受け付けたことに応じて動作モードを禁止モードにする第１の制御手段と、前記禁止コマンドによる印刷動作の禁止を解除するための解除コマンドを前記画像形成装置へ送信する第２の送信手段と、を有し、前記第１の制御手段は、前記禁止モードの間は、前記非キャリブレーションジョブの実行が前記画像処理装置に指示されても、当該非キャリブレーションジョブを前記画像処理装置へ投入しないことを特徴とする。
【発明の効果】
【００１２】
本発明によれば、画像形成システムとしての濃度階調特性や色出力特性を適切な状態に保つことができる。
【図面の簡単な説明】
【００１３】
【図１】画像形成システムのハードウェア構成のブロック図である。
【図２】画像形成装置、画像処理装置のソフトウェアモジュール構成のブロック図である。
【図３】第１、第２キャリブレーション設定情報の一例を示す図である。
【図４】各装置での第２キャリブレーション処理のフローチャートである。
【図５】システムキャリブレーション処理に関して画像処理装置で実行される処理のフローチャートである。
【図６】システムキャリブレーション設定情報の一例を示す図である。
【図７】システムキャリブレーション実行指示の受け付け画面の一例を示す図である。
【図８】システムキャリブレーション処理に関して画像形成装置で実行される処理のフローチャートである。
【図９】第１キャリブレーション処理のフローチャートである。
【図１０】印刷予約設定の受け付け画面等の例を示す図である。
【図１１】設定内容共有処理のフローチャートである。
【図１２】非キャリブレーションジョブの処理、保留ジョブ送信処理のフローチャートである。
【図１３】各装置での保留される印刷ジョブのリストを示す図である。
【図１４】非キャリブレーションジョブの処理、保留ジョブの実行処理のフローチャートである。
【図１５】外部装置から指示された非キャリブレーションジョブの処理のフローチャートである。
【発明を実施するための形態】
【００１４】
以下、図面を参照して本発明の実施の形態を説明する。
【００１５】
（第１の実施の形態）
図１は、本発明の第１の実施の形態に係る画像処理装置を含む画像形成システムのハードウェア構成のブロック図である。この画像形成システムは、画像処理装置１０１と画像形成装置１００とが通信可能に接続されて成る印刷システムである。以降の説明において、画像形成装置１００側で実行されるキャリブレーションを第１キャリブレーションと呼び、画像処理装置１０１側で実行されるキャリブレーションを第２キャリブレーションと呼ぶ。また、第１キャリブレーション及び第２キャリブレーションを連続して、画像形成システム全体で両キャリブレーションを連携して実行することをシステムキャリブレーションと呼ぶ。
【００１６】
画像形成装置１００はプリンタコントローラ１１０を有する。プリンタコントローラ１１０のＣＰＵ１１１は、ＲＯＭ１１２またはハードディスク（ＨＤＤ）１１４に記憶された制御プログラムに基づいてシステムバス１１６に接続される各種のデバイスとのアクセスを総括的に制御する。ＲＯＭ１１２は、ＣＰＵ１１１が実行可能な制御プログラム等を記憶している。ＲＡＭ１１３は、主としてＣＰＵ１１１の主メモリ、ワークエリア等として機能し、不図示の増設ポートに接続されるオプションＲＡＭによりメモリ容量を拡張することができるように構成されている。ハードディスク（ＨＤＤ）１１４は、ブートプログラム、各種のアプリケーション、フォントデータ、ユーザファイル、編集ファイル等を記憶する。なお、ハードディスクの他にＳＤカードやフラッシュメモリなどを外部記憶装置として利用してもよい。制御系Ｉ／Ｆ１１５は、印刷制御に必要な情報を、画像処理装置１０１と送受信する。プリンタＩ／Ｆ１１７は、プリント装置１２２への画像出力を制御する。操作部Ｉ／Ｆ１１９は、操作部１２４が備える表示部１２６の表示を制御すると共に、入力部１２５で設定される各種設定情報の入力を制御する。画像データ系Ｉ／Ｆ１２０は、プリント装置１２２へ送信するための画像データを画像処理装置１０１から受信する。センサＩ／Ｆ１１８は、プリント装置１２２内部に備わるセンサ１２３の動作指示の送信とセンサ１２３の測定結果を受信する。センサ１２３は、プリント装置１２２の紙搬送経路上の定着器と排紙口（いずれも図示せず）の間に配置される。センサの配置箇所に合わせてカラーのパターン画像（カラーパッチ）を配置した測定チャートを印刷し、そのチャートがセンサ１２３を通過するとき、センサ１２３は、例えば分光値や色度値、濃度といったパッチの情報を測定する。測定された情報は、双方の装置の調整機能（キャリブレーション機能）に利用される。
【００１７】
画像処理装置１０１において、プリントサーバコントローラ１４０は、投入された印刷ジョブの解析、画像データへの展開処理など、画像処理装置１０１における印刷処理実行に必要な処理を行う。ＣＰＵ１４１は、ＲＯＭ１４２またはハードディスク（ＨＤＤ）１４４に記憶された制御プログラムに基づいてシステムバス１４６に接続される各種のデバイスとのアクセスを総括的に制御する。ＲＯＭ１４２は、ＣＰＵ１４１が実行可能な制御プログラム等を記憶している。ＲＡＭ１４３は、主としてＣＰＵ１４１の主メモリ、ワークエリア等として機能し、不図示の増設ポートに接続されるオプションＲＡＭによりメモリ容量を拡張することができるように構成されている。ハードディスク（ＨＤＤ）１４４は、ブートプログラム、各種のアプリケーション、フォントデータ、ユーザファイル、編集ファイル等を記憶する。なお、ハードディスクの他にＳＤカードやフラッシュメモリなどを外部記憶装置として利用してもよい。制御系Ｉ／Ｆ１４５は、印刷制御に必要な情報を、画像形成装置１００と送受信する。画像データ系Ｉ／Ｆ１４７は、プリント装置１２２により出力させる画像データを画像形成装置１００へ送信する。操作部Ｉ／Ｆ１４８は、操作部１５０が備える表示部１５２の表示を制御すると共に、入力部１５１で設定される各種設定情報の入力を制御する。ネットワークＩ／Ｆ１４９は、ネットワークケーブルを経由して、ネットワーク１０６とデータ通信を行う。
【００１８】
クライアントＰＣ１０２は、ネットワーク１０６を通じて画像処理装置１０１と接続される。クライアントＰＣ１０２は、画像処理装置１０１に対して、印刷ジョブを投入する。なお、クライアントＰＣ１０２は、ネットワーク１０６を通じて画像形成装置１００にも接続されてもよく、その場合、画像形成装置１００に対して印刷ジョブを投入することもできる。
【００１９】
図２（ａ）は、画像形成装置１００のソフトウェアモジュール構成のブロック図である。画像形成装置１００のソフトウェアモジュール（図２（ａ））は、ＨＤＤ１１４にプログラムとして格納され、ＣＰＵ１１１によってＲＡＭ１１３に読み出されて実行される。図２（ｂ）は、画像処理装置１０１のソフトウェアモジュール構成を示すブロック図である。画像処理装置１０１のソフトウェアモジュール（図２（ｂ））は、ＨＤＤ１４４にプログラムとして格納され、ＣＰＵ１４１によってＲＡＭ１４３に読み出されて実行される。
【００２０】
まず、図２（ａ）に示すように、画像形成装置１００において、ＵＩ制御部２０１は、操作部Ｉ／Ｆ１１９を介して、操作部１２４における表示部１２６の表示を制御すると共に、入力部１２５で設定される各種設定情報の入力を制御する。ジョブ解析部２０２は、画像処理装置１０１から受信する印刷ジョブのデータを解析する。ジョブ処理部２０３は、印刷ジョブに対して画像処理装置１０１で必要な印刷処理を実行し、例えば、ハーフトーン処理や後述する第１キャリブレーションの結果の適用などを実行する。印刷処理実行部２０４は、印刷ジョブに対する給紙、紙搬送、印字、排紙などの一連の印刷動作を制御する。データ送受信部２０５は、画像処理装置１０１との間のデータ送受信を制御する。送受信するデータとは、例えば、印刷ジョブのデータ、センサ１２３の測定結果、後述するシステムキャリブレーション設定情報６０１（図６）などである。
【００２１】
第１キャリブレーション実行部２０６（以下、実行部２０６と略記）は、画像形成装置１００が有するキャリブレーション機能を制御する。その詳細は後述する。情報管理部２０７は、画像形成装置１００における第１キャリブレーション処理に必要な情報を管理する。具体的には、必要な情報は、第１キャリブレーション処理の第１キャリブレーション設定情報や、後述するシステムキャリブレーション処理のシステムキャリブレーション設定情報などである。さらに、情報管理部２０７は、第１キャリブレーション処理の実行時に使用される補正ターゲット情報、第１キャリブレーション処理の実行により生成される補正ＬＵＴの情報を管理する。
【００２２】
ジョブ管理部２０８は、オペレータ（ユーザ）から受け付けた印刷ジョブデータを管理すると共に、キャリブレーション以外のジョブの実行を禁止するか否かを管理する。ここで、キャリブレーション以外のジョブとは、キャリブレーションで使用するチャート以外の印刷を行うジョブのことを指し、キャリブレーションに必要とされる印刷ジョブ以外の印刷ジョブが該当する。以下、キャリブレーション以外のジョブを「非キャリブレーションジョブ」と称する。ジョブ管理部２０８は、具体的に、ＨＤＤ１１４に保存された印刷ジョブ実行可否の確認、印刷ジョブの呼び出し、オペレータによる印刷ジョブ設定変更の反映、印刷済みのジョブの履歴管理などの処理を行う。
【００２３】
図２（ｂ）に示すように、画像処理装置１０１において、ＵＩ制御部２１１は、操作部Ｉ／Ｆ１４８を介して、操作部１５０における表示部１５２の表示を制御すると共に、入力部１５１で設定される各種設定情報の入力を制御する。ジョブ管理部２１２は、オペレータから受け付けた印刷ジョブデータを管理すると共に、キャリブレーション以外のジョブ（上記非キャリブレーションジョブ）の実行を禁止するか否かを管理する。ジョブ管理部２１２は、具体的に、ＨＤＤ１４４に保存された印刷ジョブ実行可否の確認、印刷ジョブの呼び出し、オペレータによる印刷ジョブ設定変更の反映、印刷済みのジョブの履歴管理などの処理を行う。
【００２４】
ジョブ処理部２１３は、オペレータから受け付けた印刷ジョブの解析、画像データへの展開、画像圧縮伸長など、印刷処理実行に必要な処理を行うと共に、後述する第２キャリブレーションの適用処理を行う。データ送受信部２１４は、画像形成装置１００との間の各種データの送受信を管理する。ジョブ処理部２１３によって生成された印刷ジョブデータは、データ送受信部２１４により画像形成装置１００へと送信される。また、データ送受信部２１４は、ネットワーク１０６を介して接続されるクライアントＰＣ１０２とのデータ送受信も管理する。
【００２５】
第２キャリブレーション実行部２１５（以下、実行部２１５と略記）は、画像処理装置１０１が有するキャリブレーション機能を、画像形成装置１００と連携して制御する。その詳細は後述する。情報管理部２１６は、画像処理装置１０１における第２キャリブレーション処理に必要な情報を管理する。具体的には、必要な情報は、第２キャリブレーション処理の第２キャリブレーション設定情報や、後述するシステムキャリブレーション処理のシステムキャリブレーション設定情報などである。さらに、情報管理部２１６は、第２キャリブレーション処理の実行時に使用される補正ターゲット情報、第２キャリブレーション処理の実行により生成される補正ＬＵＴの情報を管理する。
【００２６】
画像処理装置１０１のソフトウェアモジュール（図２（ｂ））が、本発明における第１の送信手段、第１の制御手段、第２の送信手段の役割を果たす。画像形成装置１００のソフトウェアモジュール（図２（ａ））が、本発明における第１の受信手段、第２の制御手段、第２の受信手段の役割を果たす。
【００２７】
図３（ａ）は、情報管理部２０７において管理される第１キャリブレーション設定情報の一例を示す図である。この第１キャリブレーション設定情報３０１は、画像形成装置１００のＨＤＤ１１４に記憶されている。管理される第１キャリブレーション設定３０２は、画像形成条件に応じて補正ターゲットの切替えが必要な数だけ存在し、例えば、本実施の形態では３つの異なる第１キャリブレーション設定がある。第１キャリブレーション用紙情報３０３は、それぞれの第１キャリブレーション設定について印刷条件である用紙の情報を示している。情報管理部２０７は、第１キャリブレーション設定３０２のそれぞれの設定毎に、第１キャリブレーション用紙情報３０３、第１キャリブレーション補正ターゲット情報、第１キャリブレーション補正ＬＵＴ情報を管理する。
【００２８】
図３（ｂ）は、情報管理部２１６において管理される第２キャリブレーション設定情報の一例を示す図である。この第２キャリブレーション設定情報３１１は、画像処理装置１０１のＨＤＤ１４４に記憶されている。管理される第２キャリブレーション設定３１２は、印刷用紙などの条件に応じて補正ターゲットの切替えが必要な数だけ存在し、例えば、本実施の形態では７つの異なる第２キャリブレーション設定がある。第２キャリブレーション用紙情報３１３は、それぞれの第２キャリブレーション設定について印刷条件である用紙の情報を示している。情報管理部２１６は、第２キャリブレーション設定３１２のそれぞれの設定毎に、第２キャリブレーション用紙情報３１３、第２キャリブレーション補正ターゲット情報、第２キャリブレーション補正ＬＵＴ情報を管理する。第２キャリブレーション設定３１２は、予め登録されている設定もあるがオペレータによって後から追加されることもある。情報管理部２１６は、操作部１５０を介してオペレータから追加したい第２キャリブレーション設定の名称、用紙情報、および補正ターゲットの情報を受け付け、第２キャリブレーション設定３１２にその情報を追加登録する。
【００２９】
システムキャリブレーション実行部２１７（以下、実行部２１７と略記）は、画像形成システム全体としてのキャリブレーション機能を制御する。画像処理装置１０１と画像形成装置１００の双方が連携し、第１キャリブレーション及び第２キャリブレーションを連携させて制御すると共に、システムキャリブレーション中の非キャリブレーションジョブの実行を禁止または制限する制御を行う。その詳細は後述する。
【００３０】
次に、第２キャリブレーション処理について図４を用いて説明する。第２キャリブレーション処理は、画像処理装置１０１及び画像形成装置１００の両装置でそれぞれ処理が行われるため、順にフローを説明する。
【００３１】
図４（ａ）は、画像処理装置１０１における第２キャリブレーション処理のフローチャートである。このフローチャートの処理は、画像処理装置１０１のＨＤＤ１４４に格納されたプログラムがＲＡＭ１４３に読み出され、ＣＰＵ１４１によって実行されることで実現される。この処理は、実行部２１５において、第２キャリブレーション実行指示を受け付けると開始される。実行指示は、例えば、画像処理装置１０１の操作部１５０でオペレータから入力部１５１を介して行われる。また、画像処理装置１０１とネットワーク１０６を介して接続されているクライアントＰＣ１０２の不図示の操作部より指示が入力されるようにしてもよい。受け付ける実行指示は、第２キャリブレーション処理の実行開始に必要な情報であり、複数ある第２キャリブレーション設定の中から実行する設定を特定するものである。例えば、必要な情報には第２キャリブレーション設定３１２の指定が含まれる。
【００３２】
まず、ステップＳ４０１では、実行部２１５は、第２キャリブレーション実行指示で受け付けた入力情報から第２キャリブレーション設定を確定する。すなわち、実行部２１５は、受け付けた入力情報と情報管理部２１６に管理されている第２キャリブレーション設定３１２（図３（ｂ））の情報とを照合し、第２キャリブレーション設定を確定する。ステップＳ４０２では、実行部２１５は、第２キャリブレーションのための測定ページとなる印刷ジョブを生成する。ここで生成する印刷ジョブは、画像形成装置１００のセンサ１２３で読み取り可能な信号値の異なる複数の画像パターンを並べて印刷するジョブである。この画像パターンは、第２キャリブレーション設定における印刷条件下での画像形成装置１００のプリント装置１２２の状態を把握するためのものである。画像パターン及び印刷ジョブの情報はＨＤＤ１４４に保存されており、ＣＰＵ１４１によってＲＡＭ１４３に読み出され使用される。
【００３３】
ステップＳ４０３において、実行部２１５は、生成した第２キャリブレーションジョブを、ジョブ処理部２１３にて必要な処理を行った後、データ送受信部２１４を介して画像形成装置１００へ送信する。ステップＳ４０４において、実行部２１５は、後述する画像形成装置１００での処理実行後にデータ送受信部２１４を介して送信されてくる測定データを受信する。ステップＳ４０５において、実行部２１５は、受信した測定データ及び補正ターゲット情報を用いて第２キャリブレーション補正ＬＵＴを作成する。ステップＳ４０６において、実行部２１５は、ステップＳ４０５で作成した第２キャリブレーション補正ＬＵＴをＨＤＤ１４４に保存し、その情報を情報管理部２１６に通知する。情報管理部２１６は通知された情報を基に第２キャリブレーション設定の情報を管理する。
【００３４】
図４（ｂ）は、画像形成装置１００における第２キャリブレーション処理のフローチャートである。このフローチャートの処理は、画像形成装置１００のＨＤＤ１１４に格納されたプログラムがＲＡＭ１１３に読み出され、ＣＰＵ１１１によって実行されることで実現される。この処理は、ステップＳ４０３で送信された第２キャリブレーションジョブを画像形成装置１００におけるデータ送受信部２０５が受信することで開始される。
【００３５】
ステップＳ４１１において、データ送受信部２０５は、第２キャリブレーションジョブを受信する。ステップＳ４１２において、ジョブ解析部２０２は、第２キャリブレーションジョブを解析し、印刷設定を確定する。ステップＳ４１３において、ジョブ処理部２０３は必要な処理を行い、印刷処理実行部２０４は第２キャリブレーションジョブに基づく測定ページを印刷する。ステップＳ４１４において、印刷処理実行部２０４は、測定ページの印刷によって用紙上に形成された画像パターンを、センサ１２３によって測定する。ステップＳ４１５において、データ送受信部２０５は、センサ１２３で取得した測定データを画像処理装置１０１へ送信する。なお、ステップＳ４１５で送信された測定データが、図４（ａ）のステップＳ４０４で画像処理装置１０１に受信される。
【００３６】
次に、システムキャリブレーション処理について、図５〜図９を用いて説明する。図５は、システムキャリブレーション処理に関して画像処理装置１０１で実行される処理のフローチャートである。このフローチャートの処理は、画像処理装置１０１のＨＤＤ１４４に格納されたプログラムがＲＡＭ１４３に読み出され、ＣＰＵ１４１によって実行されることで実現される。この処理は、実行部２１７がシステムキャリブレーション処理の実行指示を受け付けると開始される。
【００３７】
図６は、システムキャリブレーション設定情報の一例を示す図である。この設定情報６０１は、画像形成装置１００及び画像処理装置１０１の各々のＨＤＤに記憶されている。設定情報６０１は、画像形成装置１００の情報管理部２０７及び画像処理装置１０１の情報管理部２１６によって管理される。そして、互いの設定情報６０１は、必要に応じてデータ送受信部２０５、２１４を介して更新される。設定情報６０１において、キャリブレーション設定６０２の各々に対して、第２キャリブレーション設定３１２と第１キャリブレーション設定３０２が関係付けられている。
【００３８】
図７は、システムキャリブレーション実行指示の受け付け画面の一例を示す図である。この受け付け画面７０１は、ＵＩ制御部２１１によって制御され、画像処理装置１０１の操作部１５０を介して表示部１５２に表示される。受け付け画面７０１には、リスト７０２が表示される。リスト７０２は、システムキャリブレーションを実行可能な設定情報６０１のリストである。ＵＩ制御部２１１が、情報管理部２１６より設定情報６０１のリストを読み出しリスト７０２に表示させる。オペレータより入力部１５１を通して実行希望のキャリブレーション設定が選択され、実行ボタン７０３が押下されると、実行部２１７は、図５のフローチャートの処理を開始する。また、キャンセルボタン７０４が押下されると、ＵＩ制御部２１１は受け付け画面７０１を閉じて受け付け状態を終了する。
【００３９】
なお、ここでは、画像処理装置１０１の操作部１５０から実行指示を受け付ける例を示した。この他にも、画像形成装置１００のＵＩ制御部２０１において操作部１２４に受け付け画面７０１と同様の画面を表示させ、入力部１２５から入力を受け付けてもよい。あるいは、画像処理装置１０１とネットワーク１０６を介して接続されるクライアントＰＣ１０２の不図示の操作部に受け付け画面７０１と同様の画面を表示させ、入力を受付けてもよい。それらの場合、データ送受信部２０５等を介して送信された実行指示を画像処理装置１０１の実行部２１７が受け付ける形式となる。
【００４０】
図５のステップＳ５０１において、実行部２１７は、ＵＩ制御部２１１によりシステムキャリブレーション実行指示を受け付ける。ステップＳ５０２において、実行部２１７は、受け付けたシステムキャリブレーション実行指示の情報を解析する。そして、実行部２１７は、設定情報６０１のリストから、第１キャリブレーション設定３０２及び第２キャリブレーション設定３１２を確定する。ステップＳ５０３において、実行部２１７は、非キャリブレーションジョブの実行を禁止するための「禁止コマンド」を作成し、データ送受信部２１４に指示して禁止コマンドを画像形成装置１００へ送信する。
【００４１】
ステップＳ５０４において、実行部２１７は、画像形成装置１００の動作モードが、非キャリブレーションジョブの実行を禁止する「禁止モード」に移行したことを示す情報を画像形成装置１００から受信する。この情報は、後述する図８のステップＳ８０３で送信されてくるものである。ステップＳ５０５において、実行部２１７は、ジョブ管理部２１２に指示し、画像処理装置１０１の動作モードを禁止モードに移行させる。具体的には、ジョブ管理部２１２は、ＨＤＤ１４４における、不図示の禁止モード管理フラグをＯＮ（オン）にする。
【００４２】
ステップＳ５０６において、実行部２１７は、第１キャリブレーション実行指示コマンドを作成する。この実行指示コマンドは、ステップＳ５０２で確定した第１キャリブレーションで実行される第１キャリブレーション設定３０２を含む。ステップＳ５０７において、実行部２１７は、ステップＳ５０６で作成した実行指示コマンドを、データ送受信部２１４を介して画像形成装置１００へ送信する。ステップＳ５０８において、実行部２１７は、画像形成装置１００から第１キャリブレーション結果コマンドを受信する。この結果コマンドは、画像処理装置１０１における処理により決定され、後述する図８のステップＳ８０９で送信されてくるものである。この結果コマンドは、第１キャリブレーション処理が正常に完了した場合はＯＫ、そうでない場合はＮＧを示すコマンドとしてデータ送受信部２１４を介して受信される。ステップＳ５０９において、実行部２１７は、受信した第１キャリブレーション結果コマンドを確認し、結果コマンドがＯＫを示す場合はステップＳ５１０へ、ＮＧを示す場合はステップＳ５１１へと、処理を進める。
【００４３】
ステップＳ５１１では、実行部２１７は、第１キャリブレーション処理が失敗した旨を、ＵＩ制御部２１１を介して表示部１５２へ表示させることでオペレータに報知する。その後、処理はステップＳ５１５に進む。ステップＳ５１０では、実行部２１７は、第２キャリブレーション処理（図４（ａ））を実行する。第２キャリブレーション処理は、前述の通り実行部２１５において実行される。その後、ステップＳ５１２において、実行部２１７は、ステップＳ５１０での第２キャリブレーション処理が正常に完了した否かを判別する。そして、第２キャリブレーション処理が正常に完了した場合はステップＳ５１３へ、そうでない場合はステップＳ５１４へ処理は進む。
【００４４】
ステップＳ５１３では、実行部２１７はＵＩ制御部２１１に指示し、システムキャリブレーションの完了を報知させ、処理をステップＳ５１５へ進める。ステップＳ５１４では、実行部２１７はＵＩ制御部２１１に指示し、システムキャリブレーションの失敗を報知させ、処理をステップＳ５１５へ進める。ステップＳ５１５において、実行部２１７は、非キャリブレーションジョブの実行禁止を解除するための「解除コマンド」を作成し、データ送受信部２１４に指示して解除コマンドを画像形成装置１００へ送信する。ステップＳ５１６において、実行部２１７は、画像形成装置１００における禁止モードが解除されたことを示す情報を画像形成装置１００から受信する。この情報は、後述する図８のステップＳ８１２で送信されてくるものである。ステップＳ５１７において、実行部２１７は、ジョブ管理部２１２に指示し、禁止モードを解除させ、図５の処理を終了させる。
【００４５】
図８は、システムキャリブレーション処理に関して画像形成装置１００で実行される処理のフローチャートである。このフローチャートの処理は、画像形成装置１００のＨＤＤ１１４に格納されたプログラムがＲＡＭ１１３に読み出され、ＣＰＵ１１１によって実行されることで実現される。この処理は、実行部２０６において実行され、画像形成装置１００におけるデータ送受信部２０５が、図５のステップＳ５０３で送信された禁止コマンドを画像処理装置１０１から受信することで開始される。
【００４６】
ステップＳ８０１において、実行部２０６は、禁止コマンドを画像処理装置１０１から受信する。ステップＳ８０２において、実行部２０６は、ジョブ管理部２０８に指示し、画像形成装置１００の動作モードを禁止モードに移行させる。具体的には、ジョブ管理部２０８は、ＨＤＤ１１４における、不図示の禁止モード管理フラグをＯＮ（オン）にする。
【００４７】
ステップＳ８０３において、実行部２０６は、データ送受信部２１４に指示し、画像形成装置１００の動作モードが禁止モードに移行したことを示す情報を画像処理装置１０１に送信する。ステップＳ８０４において、実行部２０６は、画像処理装置１０１から、第１キャリブレーション実行指示コマンドを受信する。このコマンドは、図５のステップＳ５０７で送信されてくるものである。ステップＳ８０５において、実行部２０６は、第１キャリブレーション処理を実行する。第１キャリブレーション処理は、後述する図９で説明するように、実行部２０６において実行される。
【００４８】
ステップＳ８０６において、実行部２０６は、ステップＳ８０５での第１キャリブレーション処理が正常に完了したか否かを判別する。正常に完了しない場合とは、例えば、センサ１２３の故障、用紙無し、ジャムが発生した場合などが考えられる。正常に完了しない場合は第１キャリブレーション結果が得られていないことになる。そのため、後述する図９のステップＳ９０５で、第１キャリブレーション結果が正常に保存されたか否か、すなわち、第１キャリブレーション補正ＬＵＴをＨＤＤ１１４に保存できたか否かによって判別可能である。ステップＳ８０６で、実行部２０６は、第１キャリブレーションが正常に完了した場合は、第１キャリブレーション結果コマンドにＯＫをセットし（ステップＳ８０７）、そうでない場合はＮＧをセットする（ステップＳ８０８）。次に、ステップＳ８０９において、実行部２０６は、第１キャリブレーション結果コマンドを、データ送受信部２０５を介して画像処理装置１０１へ送信する。
【００４９】
ステップＳ８１０において、実行部２０６は、解除コマンドを画像処理装置１０１から受信する。この解除コマンドは、図５のステップＳ５１５で送信されてくるものである。ステップＳ８１１において、実行部２０６は、ジョブ管理部２０８に指示し、禁止モードを解除させる。ステップＳ８１２において、実行部２０６は、データ送受信部２１４に指示し、画像形成装置１００における禁止モードを解除したことを示す情報を画像処理装置１０１に送信し、図８の処理を終了させる。
【００５０】
図９は、画像形成装置１００における第１キャリブレーション処理のフローチャートである。この処理は、図８のステップＳ８０５で実行される。このフローチャートの処理は、画像形成装置１００のＨＤＤ１１４に格納されたプログラムがＲＡＭ１１３に読み出され、ＣＰＵ１１１によって実行されることで実現される。
【００５１】
まず、ステップＳ９０１では、実行部２０６は、画像処理装置１０１から受信した第１キャリブレーション実行指示コマンドに基づいて、第１キャリブレーション設定を確定する。ステップＳ９０２では、印刷処理実行部２０４は第１キャリブレーションジョブに基づく測定ページを印刷する。ステップＳ９０３において、印刷処理実行部２０４は、測定ページの印刷によって用紙上に形成された画像パターンを、センサ１２３によって測定する。ステップＳ９０４において、実行部２０６は、測定データ及び補正ターゲット情報を用いて第１キャリブレーション補正ＬＵＴを作成する。ステップＳ９０５では、実行部２０６は、作成した第１キャリブレーション補正ＬＵＴをＨＤＤ１１４に保存し、その情報を情報管理部２０７に通知する。情報管理部２０７は、通知された情報を基に第１キャリブレーション設定の情報を管理する。
【００５２】
次に、システムキャリブレーション処理中に印刷ジョブ（特に非キャリブレーションジョブ）を受け付けるか否かの設定を画像処理装置１０１と画像形成装置１００とで共有する処理について、図１０、図１１で説明する。
【００５３】
図１０（ａ）は、画像処理装置１０１における、システムキャリブレーション実行中の印刷予約設定の受け付け画面の例を示す図である。この受け付け画面１００１は、ＵＩ制御部２１１によって制御され、画像処理装置１０１の操作部１５０を介して表示部１５２に表示される。この受け付け画面１００１は、例えば、システムキャリブレーションの実行指示が受け付けられたときに表示される。オペレータが、ラジオボタンの「受付ける」を選択して「ＯＫ」ボタンを押下すると、ＵＩ制御部２１１は、ジョブ管理部２１２に指示し、「受付ける」設定をＨＤＤ１４４に記録させる。また、オペレータがラジオボタンの「受付けない」を選択して「ＯＫ」ボタンを押下すると、ＵＩ制御部２１１は、ジョブ管理部２１２に指示し、「受付けない」設定をＨＤＤ１４４に記録させる。
【００５４】
図１０（ｂ）は、システムキャリブレーションの処理中に非キャリブレーションの予約ができない旨を示す報知画面である。図１０（ｃ）は、システムキャリブレーションの処理中に非キャリブレーションの予約が受け付けられ処理の実行が保留される旨を示す報知画面である。これらの報知画面は、後述する図１２（ａ）の処理で表示部１５２に表示され得る。
【００５５】
図１０（ｄ）は、画像形成装置１００における、システムキャリブレーション実行中の印刷予約設定の受け付け画面の例を示す図である。この受け付け画面１００８は、ＵＩ制御部２０１によって実行され、画像形成装置１００の操作部１２４を介して表示部１２６に表示される。この受け付け画面１００８は、例えば、禁止コマンドを画像処理装置１０１から受信したときに表示される。オペレータが、ラジオボタンの「受付ける」を選択して「ＯＫ」ボタンを押下すると、ＵＩ制御部２０１は、ジョブ管理部２０８に指示し、「受付ける」設定をＨＤＤ１１４に記録させる。また、オペレータが操作部１２４を介し、ラジオボタンの「受付けない」を選択して「ＯＫ」ボタンを押下する。すると、ＵＩ制御部２０１は、ジョブ管理部２０８に指示し、「受付けない」設定をＨＤＤ１１４に記録させる。
【００５６】
図１０（ｅ）は、システムキャリブレーションの処理中に非キャリブレーションの処理ができない旨を示す報知画面である。図１０（ｆ）は、システムキャリブレーションの処理中に非キャリブレーションの予約が受け付けられて処理の実行が保留される旨を示す報知画面である。これらの報知画面は、後述する図１４（ａ）の処理で表示部１２６に表示され得る。
【００５７】
このように、システムキャリブレーションの処理中に画像処理装置１０１、画像形成装置１００のそれぞれで指示された非キャリブレーションの扱いについて、各装置でオペレータが設定することができる。そして、それらの設定内容が図１１（ａ）〜（ｄ）の処理で共有される。
【００５８】
図１１（ａ）、（ｄ）は、画像処理装置１０１で実行される設定内容共有処理のフローチャートである。このフローチャートの処理は、画像処理装置１０１のＨＤＤ１４４に格納されたプログラムがＲＡＭ１４３に読み出され、ＣＰＵ１４１によって実行されることで実現される。図１１（ｂ）、（ｃ）は、画像形成装置１００で実行される設定内容共有処理のフローチャートである。このフローチャートの処理は、画像形成装置１００のＨＤＤ１１４に格納されたプログラムがＲＡＭ１１３に読み出され、ＣＰＵ１１１によって実行されることで実現される。
【００５９】
図１１（ａ）の処理は、画像処理装置１０１において、予約設定内容である、「受付ける」設定または「受付けない」設定がＨＤＤ１４４に記録されると開始される。ステップＳ１１０１において、ジョブ管理部２１２は、キャリブレーション中の予約設定内容を取得し、データ送受信部２１４に指示して、取得した予約設定内容を画像形成装置１００に送信する。図１１（ｂ）の処理は、画像形成装置１００のデータ送受信部２０５が、予約設定内容を画像処理装置１０１から受信すると開始される。ステップＳ１１０２では、ジョブ管理部２０８は、データ送受信部２０５から予約設定内容を受け取り、それをＨＤＤ１１４に記録する。
【００６０】
図１１（ｃ）の処理は、画像形成装置１００において、予約設定内容である、「受付ける」設定または「受付けない」設定がＨＤＤ１１４に記録されると開始される。ステップＳ１１０３において、ジョブ管理部２０８は、キャリブレーション中の予約設定内容を取得し、データ送受信部２０５に指示して、取得した予約設定内容を画像処理装置１０１に送信する。図１１（ｄ）の処理は、画像処理装置１０１のデータ送受信部２１４が、予約設定内容を画像形成装置１００から受信すると開始される。ステップＳ１１０４において、ジョブ管理部２１２は、データ送受信部２１４から予約設定内容を受け取り、それをＨＤＤ１４４に記録する。
【００６１】
このようにして、画像処理装置１０１及び画像形成装置１００はそれぞれ、システムキャリブレーション実行中に印刷予約設定を受け付けるか否かを設定することができ、且つ、互いに予約設定内容を通知し合うことで、設定状態を同期させることができる。
【００６２】
次に、システムキャリブレーション実行中に印刷ジョブ（特に非キャリブレーションジョブ）の実行が指示されたときの処理について、図１０、図１２〜図１４を用いて説明する。
【００６３】
図１２（ａ）は、画像処理装置１０１における非キャリブレーションジョブの処理のフローチャートである。このフローチャートの処理は、画像処理装置１０１のＨＤＤ１４４に格納されたプログラムがＲＡＭ１４３に読み出され、ＣＰＵ１４１によって実行されることで実現される。この処理は、非キャリブレーションジョブの実行が画像処理装置１０１に指示されると開始される。
【００６４】
ステップＳ１２００において、ジョブ管理部２１２は、非キャリブレーションジョブを受け付ける。ステップＳ１２０１において、ジョブ管理部２１２は、ＨＤＤ１４４における禁止モード管理フラグを確認することで、画像処理装置１０１の動作モードが禁止モードであるか否かを判別する。そして、ジョブ管理部２１２は、動作モードが禁止モードである場合はステップＳ１２０３へ、そうでない場合はステップＳ１２０２へと、処理を進める。ステップＳ１２０２では、非キャリブレーションジョブの処理を禁止する必要がないので、ジョブ管理部２１２は、データ送受信部２１４に指示し、受け付けた印刷ジョブを画像形成装置に送信する。
【００６５】
ステップＳ１２０３では、ジョブ管理部２１２は、システムキャリブレーション処理中と考えられるので、ＨＤＤ１４４に記録された、非キャリブレーションジョブを受け付けるか否かの予約設定内容を確認する。そして、ジョブ管理部２１２は、予約設定内容に基づき、非キャリブレーションジョブを受け付けて保留することが可能か否かを判別する。ジョブ管理部２１２は、予約設定内容が「受付ける」設定の場合は保留可能と判別して処理をステップＳ１２０５へ進める一方、予約設定内容が「受付けない」設定の場合は保留不可能と判別して処理をステップＳ１２０４へ進める。
【００６６】
ステップＳ１２０４では、ジョブ管理部２１２は、ＵＩ制御部２１１に指示し、保留禁止の報知画面（図１０（ｂ））を表示部１５２に表示させる。これにより、オペレータは、システムキャリブレーションの処理中のために非キャリブレーションの予約ができないことを知ることができる。
【００６７】
ステップＳ１２０５では、ジョブ管理部２１２は、受け付けた非キャリブレーションジョブの保留処理を行う。この保留処理では、まず、ジョブ管理部２１２は、ＵＩ制御部２１１に指示し、保留処理の報知画面（図１０（ｃ））を表示部１５２に表示させる。これにより、オペレータは、システムキャリブレーションの処理中であるが非キャリブレーションの予約が受け付けられ、後で実行されることを知ることができる。さらに、保留処理では、ジョブ管理部２１２は、図１３（ａ）に示すリスト１３０１を保存する処理も行う。
【００６８】
図１３（ａ）は、システムキャリブレーション処理中に受け付けて保留した印刷ジョブを管理するリスト１３０１を示す図である。このリスト１３０１はＨＤＤ１４４に格納され、ジョブ管理部２１２により更新される。ジョブ管理部２１２は、受け付けた印刷ジョブをＨＤＤ１４４に格納し、その印刷ジョブの情報をリスト１３０１に登録する。
【００６９】
図１２（ｂ）は、保留ジョブ送信処理のフローチャートである。このフローチャートの処理は、画像処理装置１０１のＨＤＤ１４４に格納されたプログラムがＲＡＭ１４３に読み出され、ＣＰＵ１４１によって実行されることで実現される。この処理は、ステップＳ１２０５の保留処理が実行された後、所定時間間隔で実行される。
【００７０】
ステップＳ１２０７では、ジョブ管理部２１２は、ＨＤＤ１４４における禁止モード管理フラグを確認することで、画像処理装置１０１の動作モードが禁止モードであるか否かを判別する。そして、ジョブ管理部２１２は、動作モードが禁止モードである場合は図１２（ｂ）の処理を終了させる一方、動作モードが禁止モードでない場合は、処理をステップＳ１２０６へ進める。ステップＳ１２０６では、ジョブ管理部２１２は、リスト１３０１（図１３（ａ））にアクセスし、リスト中の予約受付日時の古い順に、印刷ジョブを画像形成装置１００へ送信（投入）する。そして送信した印刷ジョブをリスト１３０１から削除し、図１２（ｂ）の処理を終了させる。従って、保留された非キャリブレーションジョブが、禁止モードの解除後に送信される。
【００７１】
図１４（ａ）は、画像形成装置１００における非キャリブレーションジョブの処理のフローチャートである。このフローチャートの処理は、画像形成装置１００のＨＤＤ１１４に格納されたプログラムがＲＡＭ１１３に読み出され、ＣＰＵ１１１によって実行されることで実現される。この処理は、非キャリブレーションジョブの実行が画像形成装置１００に指示されると開始される。
【００７２】
ステップＳ１４００において、ジョブ管理部２０８は、非キャリブレーションジョブを受け付ける。ステップＳ１４０１において、ジョブ管理部２０８は、ＨＤＤ１１４における禁止モード管理フラグを確認することで、画像形成装置１００の動作モードが禁止モードであるか否かを判別する。そして、ジョブ管理部２０８は、動作モードが禁止モードである場合はステップＳ１４０３へ、そうでない場合はステップＳ１４０２へと、処理を進める。ステップＳ１４０２では、非キャリブレーションジョブの処理を禁止する必要がないので、ジョブ管理部２０８は、印刷処理実行部２０４に指示し、受付けた印刷ジョブを実行する。
【００７３】
ステップＳ１４０３において、ジョブ管理部２０８は、システムキャリブレーション処理中と考えられるので、ＨＤＤ１１４に記録された、非キャリブレーションジョブを受け付けるか否かの予約設定内容を確認する。そして、ジョブ管理部２０８は、予約設定内容に基づき、非キャリブレーションジョブを受け付けて保留することが可能か否かを判別する。ジョブ管理部２０８は、予約設定内容が「受付ける」設定の場合は保留可能と判別して処理をステップＳ１４０５へ進める一方、予約設定内容が「受付けない」設定の場合は保留不可能と判別して処理をステップＳ１４０４へ進める。ステップＳ１４０４では、ジョブ管理部２０８は、ＵＩ制御部２０１に指示し、保留禁止の報知画面（図１０（ｅ））を表示部１２６に表示させる。これにより、オペレータは、システムキャリブレーションの処理中に非キャリブレーションの処理ができないことを知ることができる。
【００７４】
ステップＳ１４０５では、ジョブ管理部２０８は、受け付けた非キャリブレーションジョブの保留処理を行う。この保留処理では、まず、ジョブ管理部２０８は、ＵＩ制御部２０１に指示し、保留処理の報知画面（図１０（ｆ））を表示部１２６に表示させる。これにより、オペレータは、システムキャリブレーションの処理中に非キャリブレーションの予約が受け付けられて処理の実行が保留されることを知ることができる。さらに、保留処理では、ジョブ管理部２０８は、図１３（ｂ）に示すリスト１３０２を保存する処理も行う。
【００７５】
図１３（ｂ）は、システムキャリブレーション処理中に受け付けて保留した印刷ジョブを管理するリスト１３０２を示す図である。このリスト１３０２はＨＤＤ１１４に格納され、ジョブ管理部２０８により更新される。ジョブ管理部２０８は、受け付けた印刷ジョブをＨＤＤ１１４に格納し、その印刷ジョブの情報をリスト１３０２に登録する。
【００７６】
図１４（ｂ）は、保留ジョブの実行処理のフローチャートである。このフローチャートの処理は、画像形成装置１００のＨＤＤ１１４に格納されたプログラムがＲＡＭ１１３に読み出され、ＣＰＵ１１１によって実行されることで実現される。この処理は、ステップＳ１４０５の保留処理が実行された後、所定時間間隔で実行される。
【００７７】
ステップＳ１４０８では、ジョブ管理部２０８は、ＨＤＤ１１４における禁止モード管理フラグを確認することで、画像形成装置１００の動作モードが禁止モードであるか否かを判別する。そして、ジョブ管理部２０８は、動作モードが禁止モードである場合は図１４（ｂ）の処理を終了させる一方、動作モードが禁止モードでない場合は、処理をステップＳ１４０６へ進める。
【００７８】
ステップＳ１４０６では、ジョブ管理部２０８は、画像処理装置１０１で保留されていた印刷ジョブを受け付ける。すなわちジョブ管理部２０８は、図１２（ｂ）のステップＳ１２０６で送信されてきた非キャリブレーションジョブを受け付ける。ステップＳ１４０７では、ジョブ管理部２１２は、リスト１３０２（図１３（ｂ））にアクセスし、保留中の印刷ジョブを確認する。そして、ジョブ管理部２１２は、印刷処理実行部２０４に指示し、ステップＳ１４０６で受け付けた非キャリブレーションジョブ、及び、リスト１３０２に保留されていた非キャリブレーションジョブの処理を実行する。リスト１３０２に保留されていた非キャリブレーションジョブについては、リスト１３０２中の予約受付日時の古い順に実行され、実行が完了した印刷ジョブはリスト１３０２から削除される。その後、図１４（ｂ）の処理は終了する。従って、保留された非キャリブレーションジョブが、禁止モードの解除後に実行される。
【００７９】
本実施の形態によれば、画像処理装置１０１は、システムキャリブレーションの指示を受け付けた場合に、禁止コマンドを画像形成装置１００へ送信すると共に、動作モードを禁止モードにする。そして、画像処理装置１０１は、第２キャリブレーションが完了するかまたは、画像形成装置１００から第１キャリブレーションの実行の結果を受信した場合に、解除コマンドを画像形成装置１００へ送信すると共に、禁止モードを解除する（図５）。画像処理装置１０１は、禁止モードの間は、非キャリブレーションジョブの実行が画像処理装置１０１に指示されても、当該非キャリブレーションジョブを画像形成装置１００へ投入しない（図１２（ａ）、（ｂ））。これにより、画像形成装置１００と画像処理装置１０１とでの画像調整の間に、画像処理装置１０１で受け付けた非キャリブレーションジョブが実行されることがなく、従って、キャリブレーションに関係無い印刷が行われることがない。
【００８０】
また、画像形成装置１００は、画像処理装置１０１から禁止コマンドを受信されたことに応じて動作モードを禁止モードにし、解除コマンドが受信されると禁止モードを解除する（図８）。画像形成装置１００は、禁止モードの間は、非キャリブレーションジョブの実行が画像形成装置１００に指示されても、当該非キャリブレーションジョブの処理を実行しない（図１４（ａ）、（ｂ））。これにより、画像形成装置１００と画像処理装置１０１とでの画像調整の間に、画像形成装置１００で受け付けた非キャリブレーションジョブが実行されることがなく、従って、キャリブレーションに関係無い印刷が行われることがない。
【００８１】
このように、第１、第２キャリブレーションが続けて実行されることが担保されることで、色合いを長く正常な状態に保つことができる。よって、画像形成システムとしての濃度階調特性や色出力特性等の画質特定を適切な状態に保つことができる。
【００８２】
また、画像処理装置１０１、画像形成装置１００のそれぞれで、禁止モードの間の非キャリブレーションジョブの受付可否を予約設定内容として予め設定できるので（図１０）、利便性が高い。そして、予約設定内容が「受付ける」設定の場合、画像処理装置１０１では、指示された非キャリブレーションジョブが保留され、禁止モードが解除されてから画像処理装置へ投入される（図１２（ｂ））。一方、画像形成装置１００では、指示された非キャリブレーションジョブが保留され、禁止モードが解除されてから実行される（図１４（ｂ））。これらにより、禁止モードの間でも非キャリブレーションジョブを受け付けることができ、後に実行することができる。また、予約設定内容が「受付けない」設定の場合、各装置で、指示された非キャリブレーションジョブが受け付けられないので、禁止モードの間は非キャリブレーションジョブの受け付けを許否して投入や実行を確実に回避することができる。
【００８３】
しかも、両装置間での相互の通知によって、予約設定内容は両装置で共有されるので（図１１）、指示された非キャリブレーションジョブに対する保留または受け付け許否の処置をシステムとして統一することができる。なお、予約設定内容を共有することは必須でない。
【００８４】
また、非キャリブレーションジョブが保留される場合や受け付けられない場合に、それらの旨が報知されるので（図１０（ｂ）、（ｃ）、（ｅ）、（ｆ））、オペレータは状況を把握することができる。なお、この観点からは、報知の態様は表示でなくてもよく、例えば音声によってもよい。
【００８５】
また、画像処理装置１０１にて、システムキャリブレーションが受け付けられると、画像形成装置１００、画像処理装置１０１で、それぞれ第１、第２キャリブレーションジョブが連携して実行される。その際、画像形成システムがキャリブレーション設定情報を基に双方の装置でのキャリブレーション設定を決定するので、オペレータが判断する必要がなくなり、人的ミスの発生を防止することができる。
【００８６】
ところで、画質安定化のためには、システムキャリブレーションにおける画像形成装置１００での第１キャリブレーションと画像処理装置１０１での第２キャリブレーションとの間の、キャリブレーションに関係無い印刷が回避されればよい。従って、禁止モードにおいても、非キャリブレーションジョブに基づく少なくとも印刷動作が禁止されればよい。例えば、画像形成装置１００で非キャリブレーションジョブとしてコピージョブが保留された場合であっても、禁止モードが解除されるのを待たずにスキャンまで実行し、禁止モードが解除されてから印刷動作を実行するようにしてもよい。従って、この場合、「禁止コマンド」は、非キャリブレーションジョブの実行が指示されても当該非キャリブレーションジョブに基づく少なくとも印刷動作を禁止すべき旨のコマンドである、という構成にすればよい。
【００８７】
なお、予約設定内容において、非キャリブレーションジョブを保留する内容と受け付けない内容とをオペレータが選択できたが、選択可能であることは必須でない。例えば、システムキャリブレーションの指示を受け付けた場合に、一律に、非キャリブレーションジョブを保留するか、または受け付けない構成としてもよい。
【００８８】
なお、非キャリブレーションジョブの受け付けを許否する代わりに、ＵＩ制御部２０１、ＵＩ制御部２１１による操作の受け付け自体を禁止するようにしてもよい。
【００８９】
なお、図５において、禁止モードへの移行（ステップＳ５０５）は、ステップＳ５０１の後で且つステップＳ５０７の前であれば、どのタイミングで実行してもよい。また、禁止モードの解除（ステップＳ５１７）は、ステップＳ５１１、Ｓ５１３、Ｓ５１４の前でなければ、どのタイミングで実行してもよい。
【００９０】
（第２の実施の形態）
本発明の第２の実施の形態では、システムキャリブレーション実行中に印刷ジョブ（特に非キャリブレーションジョブ）の実行が外部装置から指示されたときの処理について説明する。第１の実施の形態に対し、図１５を加えて本実施の形態を説明する。外部装置としてクライアントＰＣ１０２を例示するが、それに限定されない。
【００９１】
図１５（ａ）は、画像処理装置１０１における、外部装置から指示された非キャリブレーションジョブの処理のフローチャートである。このフローチャートの処理は、画像処理装置１０１のＨＤＤ１４４に格納されたプログラムがＲＡＭ１４３に読み出され、ＣＰＵ１４１によって実行されることで実現される。この処理は、非キャリブレーションジョブの実行がクライアントＰＣ１０２から画像処理装置１０１に指示されると開始される。
【００９２】
ステップＳ１５００において、ジョブ管理部２１２は、クライアントＰＣ１０２からの非キャリブレーションジョブを受け付ける。ステップＳ１５０１、Ｓ１５０２では、ジョブ管理部２１２は、図１２（ａ）のステップＳ１２０１、Ｓ１２０３と同様の処理を実行する。ステップＳ１５０１の判別の結果、動作モードが禁止モードでない場合は、ジョブ管理部２１２は、ステップＳ１５０２で、図１２（ａ）のステップＳ１２０２と同様の処理を実行して図１５（ａ）の処理を終了させる。
【００９３】
ステップＳ１５０３の判別の結果、ジョブ管理部２１２は、非キャリブレーションジョブの保留が可能でない場合はステップＳ１５０４に処理を進める一方、保留が可能な場合は処理をステップＳ１５０５に進める。ステップＳ１５０４では、ジョブ管理部２１２は、データ送受信部２１４に指示し、保留禁止の報知画面（図１０（ｂ））を表示するための情報をクライアントＰＣ１０２へ送信させる。それを受信したクライアントＰＣ１０２は、保留禁止の報知画面をクライアントＰＣ１０２が有する不図示の表示部に表示させる。これにより、指示元であるクライアントＰＣ１０２のユーザは、システムキャリブレーションの処理中のために非キャリブレーションの予約ができないことを知ることができる。
【００９４】
一方、ステップＳ１５０５では、ジョブ管理部２１２は、受け付けた非キャリブレーションジョブの保留処理を行う。この保留処理では、まず、ジョブ管理部２１２は、データ送受信部２１４に指示し、保留処理の報知画面（図１０（ｃ））を表示するための情報をクライアントＰＣ１０２へ送信させる。それを受信したクライアントＰＣ１０２は、保留処理の報知画面をクライアントＰＣ１０２が有する不図示の表示部に表示させる。これにより、クライアントＰＣ１０２のユーザは、システムキャリブレーションの処理中であるが非キャリブレーションの予約が受け付けられ、後で実行されることを知ることができる。さらに、保留処理では、ジョブ管理部２１２は、図１３（ａ）に示すリスト１３０１を保存する処理も行う。
【００９５】
図１５（ｂ）は、画像形成装置１００における、外部装置から指示された非キャリブレーションジョブの処理のフローチャートである。このフローチャートの処理は、画像形成装置１００のＨＤＤ１１４に格納されたプログラムがＲＡＭ１１３に読み出され、ＣＰＵ１１１によって実行されることで実現される。この処理は、非キャリブレーションジョブの実行がクライアントＰＣ１０２から画像形成装置１００に指示されると開始される。なお、クライアントＰＣ１０２のユーザが不図示のＵＩ制御部を操作して、画像形成装置１００に格納された非キャリブレーションの実行を指示することで開始されるとしてもよい。なお、この処理にあたって、画像形成装置１００はクライアントＰＣ１０２と通信可能に接続されているとする。
【００９６】
ステップＳ１５０６において、ジョブ管理部２０８は、クライアントＰＣ１０２からの非キャリブレーションジョブを受け付ける。ステップＳ１５０７、Ｓ１５０８では、ジョブ管理部２０８は、図１４（ａ）のステップＳ１４０１、Ｓ１４０３と同様の処理を実行する。ステップＳ１５０７の判別の結果、動作モードが禁止モードでない場合は、ジョブ管理部２０８は、ステップＳ１５１１で、図１４（ａ）のステップＳ１４０２と同様の処理を実行して図１５（ｂ）の処理を終了させる。
【００９７】
ステップＳ１５０８の判別の結果、ジョブ管理部２０８は、非キャリブレーションジョブの保留が可能でない場合はステップＳ１５０９に処理を進める一方、保留が可能な場合は処理をステップＳ１５１０に進める。ステップＳ１５０９では、ジョブ管理部２０８は、データ送受信部２０５に指示し、保留禁止の報知画面（図１０（ｅ））を表示するための情報をクライアントＰＣ１０２へ送信させる。それを受信したクライアントＰＣは、保留禁止の報知画面をクライアントＰＣが有する不図示の表示部に表示させる。これにより、指示元であるクライアントＰＣのユーザは、システムキャリブレーションの処理中のために非キャリブレーションの予約ができないことを知ることができる。
【００９８】
一方、ステップＳ１５１０では、ジョブ管理部２０８は、受け付けた非キャリブレーションジョブの保留処理を行う。この保留処理では、まず、ジョブ管理部２０８は、データ送受信部２０５に指示し、保留処理の報知画面（図１０（ｆ））を表示するための情報をクライアントＰＣ１０２へ送信させる。それを受信したクライアントＰＣは、保留処理の報知画面をクライアントＰＣが有する不図示の表示部に表示させる。これにより、クライアントＰＣのユーザは、システムキャリブレーションの処理中であるが非キャリブレーションの予約が受け付けられ、後で実行されることを知ることができる。さらに、保留処理では、ジョブ管理部２０８は、図１３（ｂ）に示すリスト１３０２を保存する処理も行う。
【００９９】
本実施の形態によれば、画像形成システムとしての濃度階調特性や色出力特性を適切な状態に保つことに関し、第１の実施の形態と同様の効果を奏することができる。また、禁止モードの間でも非キャリブレーションジョブを保留したり、受け付けを許否して投入や実行を確実に回避したりするという効果が、非キャリブレーションジョブの指示元が外部装置である場合にも得られる。
【０１００】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【０１０１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【０１０２】
１００  画像形成装置
１０１  画像処理装置
２０１、２１１  ＵＩ制御部
２０５、２１４  データ送受信部
２０６  第１キャリブレーション実行部
２０８、２１２  ジョブ管理部
２１５  第２キャリブレーション実行部
２１７  システムキャリブレーション実行部
【図１】
2018106614.tif 000003
【図２】
2018106614.tif 000004
【図３】
2018106614.tif 000005
【図４】
2018106614.tif 000006
【図５】
2018106614.tif 000007
【図６】
2018106614.tif 000008
【図７】
2018106614.tif 000009
【図８】
2018106614.tif 000010
【図９】
2018106614.tif 000011
【図１０】
2018106614.tif 000012
【図１１】
2018106614.tif 000013
【図１２】
2018106614.tif 000014
【図１３】
2018106614.tif 000015
【図１４】
2018106614.tif 000016
【図１５】
2018106614.tif 000017